(57)【要約】      （修正有）【課題】高温成形時における染料の変質による斑点の発生を防止し、内パッドの黄色に変色する現象を回避するブラジャーカップのライニングを提供する。【解決手段】ポリプロピレン製の外ライニングと、外ライニングに貼り付けられポリプロピレン製の内パッドと、を含み、更に、ポリプロピレン製の外ライニングが付設されてもよい。ポリプロピレン製にしたことで、ライニングが黄色に変色することがなく、着用時の快適性が格段に向上する。【選択図】図２
0003147388.tif 000002
【実用新案登録請求の範囲】
【請求項１】
少なくとも、ポリプロピレン製の外ライニングと、前記外ライニングに貼り付けられポリプロピレン製の内パッドと、を含むことを特徴とする、
ブラジャーカップのライニング。
【請求項２】
ポリプロピレン製の外ライニングを二つ有しており、内パッドは前記二つの外ライニングに挟まれていることを特徴とする、請求項１に記載のブラジャーカップのライニング。
【考案の詳細な説明】
【技術分野】
【０００１】
本考案は、ブラジャーカップのライニングに関し、特に、低融点のポリプロピレンによってブラジャーカップのライニングを作製することにより、高温成形時には、外ライニングに付けられた染料の変質による斑点の発生を防止可能であり、そして内パッドが黄色に変色する現象を減少することもできるブラジャーカップのライニングに関するものである。
【背景技術】
【０００２】
国民の生活レベルの向上に従って、日常生活用品に対する要求が多くなっている。
ブラジャーを例にして説明すれば、ブラジャーの使用は、女性の胸を保護する他に、着用時の快適性及び女性の胸の形を綺麗にすることも要請されている。
【０００３】
また、女性の胸の形を綺麗にするために、ブラジャーメーカがブラジャーカップのライニングを開発した。
従来のブラジャーカップのライニングは、図７に示すように、不織布（Polyester-based Non-woven fabric）によって二つの外ライニング３を作製し、二つの外ライニング３の間にスポンジ製の内パッド４を介装している。そして二つの外ライニング３と内パッド４とは、粘着剤によって結合した後、１８０〜２１０℃程度の高温金型によって熱圧成形することで、ブラジャーカップのライニングを成形している。
【０００４】
また、ブラジャーカップのライニングの顔色（彩色）をブラジャーの顔色と一致させるために、二つの外ライニングに染料を付けることが一般になっている。
しかし、高温の環境下において染料が変質して斑点を発生することが多い。染料の変質により斑点が発生すると、製品が不良品と判定される。
【０００５】
一方、従来のブラジャーカップのライニングは、不織布によって作製された二つの外ライニング３と、スポンジ製の内パッド４とは、外ライニング３と内パッド４の結合を強固にするために、熱圧成形する前に、粘着剤を塗布することが必要である。
そのため、生産工数が増加することに伴って生産コストが増加するだけでなく、粘着剤の使用は環境保全に悪影響を与える。
さらに、スポンジ製の内パッドは、高温加工や長時間に亘って空気と接触すると黄色に変色し易いといった問題点がある。
【考案の開示】
【考案が解決しようとする課題】
【０００６】
本考案は以上の点に鑑みて成されたもので、本考案の主な目的は、高温成形時には、外ライニングに付けられた染料の変質による斑点の発生を防止可能であり、そして内パッドの黄色になる現象を減少することもできるブラジャーカップのライニングを提供することにある。
【課題を解決するための手段】
【０００７】
本願の第１考案に係るブラジャーカップのライニングによると、少なくとも、ポリプロピレン製の外ライニングと、前記外ライニングに貼り付けられポリプロピレン製の内パッドと、を含むことを特徴とするブラジャーカップのライニングである。
【０００８】
本願の第１考案に係るブラジャーカップのライニングによると、更に、ポリプロピレン製の外ライニングが設けられており、前記内パッドが前記二つの外ライニングに挟まれている。
【考案の効果】
【０００９】
本考案のブラジャーカップのライニングによれば、次のような効果がある。
（１）低融点のポリプロピレンで作製されたブラジャーカップのライニングを使用するので、オーブンの設定温度を１８０℃〜２１０℃から９０℃〜１１０℃に降下することができる。
これにより、高温成形時には、外ライニングに付けられた染料の変質による斑点の発生を効果的で確実に防止することが可能である。
【００１０】
（２）ブラジャーカップのライニングとしてポリプロピレンを採用するので、高温加工や長時間に空気と接触しても、ブラジャーカップのライニングが黄色に変色することがない。
【００１１】
（３）外ライニングと内パッドとに、同じようにポリプロピレンを採用するので、粘着剤を使用せずに外ライニングと内パッドとを結合することができる。
これにより、生産コストを減少することができる。
【００１２】
（４）ポリプロピレンで作製したブラジャーカップのライニングは、通気性が良く、水分を吸収しないので、人体からの熱を外部に放出することができ、着用時の快適性が格段に向上する。
【００１３】
（５）ポリプロピレンで作製したブラジャーカップのライニングは、柔らかくて特別の剛性を有するので、成形後に変形がし難い。
【考案を実施するための最良の形態】
【００１４】
以下、本考案の実施の形態を図面に基づいて説明する。
（実施例１）
まず、図１及び図２を参照する。
本考案に係るブラジャーカップのライニングａは、ブラジャーｂの内側に適用される。
具体的には、ポリプロピレン製の二つの外ライニング１の間にポリプロピレン製の内パッド２が挟まれている。
【００１５】
次に、本実施例に係るブラジャーカップのライニングの成形ステップを説明する。
本実施例の成形のステップは下記の通りである。
（Ａ）９０℃〜１１０℃に設定された公知のオーブンに、図２に示すようなブラジャーカップ、又は図３及び図４に示すようなライニングなどの形状に成形されポリプロピレンで作製された内パッド２を入れる。
これにより、低融点のポリプロピレンで作製された内パッド２の内外面を溶融させる。
【００１６】
（Ｂ）９０℃〜１１０℃に設定されたオーブンに、ブラジャーカップ又はライニングなどの形状に成形されポリプロピレンで作製された二つの外ライニング１を入れる。
これにより、低融点のポリプロピレンで作製された二つの外ライニング１の一面を溶融させる。
【００１７】
（Ｃ）内パッド２の外面に一つの溶融された外ライニング１を置いて加圧する。
これにより、内パッド２の外面に外ライニング１を結合する。
次に、内パッド２の内面に他の溶融された外ライニング１を置いて加圧する。
これにより、内パッド２の内面に他の外ライニング１を結合する。
以上の工程を経ることで、内パッド２の一面又は両面に外ライニング１を結合することができる。
【００１８】
（Ｄ）相互に結合している外ライニング１と内パッド２とを公知の成形機器に入れて成形させる。
【００１９】
これにより、低融点のポリプロピレンで作製されたブラジャーカップのライニングは、より低い温度で熱圧成形することができる。
高温成形時には、外ライニングに付けられた染料の変質による斑点の発生を防止することが可能であり、製品の不良率を有効に減少することができる。
【００２０】
また、低融点のポリプロピレンで作製されたブラジャーカップのライニングの溶融による結合を利用することにより、別に粘着剤を使用する必要がなくなり、生産コストを減少することができる。
【００２１】
また、ポリプロピレンで作製されたブラジャーカップのライニングは、通気性が良く、水分を吸収しないので、人体からの熱を外部に放出することができ、着用時の快適性が向上する。
【００２２】
（実施例２）
次に、図５及び図６を参照しながら、他の成形ステップについて説明する。
本実施例の成形ステップは下記の通りである。
（Ａ）ポリプロピレンで作製された二つの外ライニング１に、ポリプロピレンで作製された内パッド２を介装する。
【００２３】
（Ｂ）９０℃〜１１０℃に設定されたオーブンに、重ねてた状態で外ライニング１と内パッド２とを入れる。
これにより、重ねた外ライニング１と内パッド２とが溶融することにより、相互に結合する。
【００２４】
（Ｃ）相互に結合している外ライニング１と内パッド２とを成形機器に入れて成形する。
【図面の簡単な説明】
【００２５】
【図１】本考案をブラジャーに適用した状態の模式図である。
【図２】本考案の実施例１に係るブラジャーカップの分解斜視図である。
【図３】本考案に係るライニングの分解斜視図である。
【図４】本考案に係るライニングの分解斜視図である。
【図５】本考案の実施例２に係るブラジャーカップの分解斜視図である。
【図６】本考案の側面断面図である。
【図７】従来のものの側面断面図である。
【符号の説明】
【００２６】
１・・・外ライニング
２・・・内パッド
３・・・外ライニング
４・・・内パッド
ａ・・・ブラジャーカップのライニング
ｂ・・・ブラジャー。
【図１】
0003147388.tif 000003
【図２】
0003147388.tif 000004
【図３】
0003147388.tif 000005
【図４】
0003147388.tif 000006
【図５】
0003147388.tif 000007
【図６】
0003147388.tif 000008
【図７】
0003147388.tif 000009